(57)【要約】【課題】外包体と尿取りパッドとからなる吸収性物品において、尿漏れを防止するとともに前記尿取りパッドの取り替えを容易に行う。【解決手段】おむつ本体２０と、おむつ本体２０内に積層配置される複数の尿取りパッド３０から吸収物品を構成する。おむつ本体２０は腹側部Ａ、背側部Ｂ及びその両者に介在する股下部Ｃとからなり、股下部Ｃには尿取りパッドを取り出すための開口２２を設ける。尿取りパッド３０にも同様にその略中央部に開口３４を設け、尿取りパッド３０が汚れたときは、当該尿取りパッド３０に止着した引き出し紐４０を引っ張ることにより、下側に配置された尿取りパッドの開口３２、及び前記股下部Ｃの開口２２を通しておむつ本体２０から外に取り出す。【選択図】          図１
2006130053.tif 000002
【特許請求の範囲】
【請求項１】
着用者の腹側に位置する腹側部と、背側に位置する背側部と、腹側部と背側部との間に位置し着用者の股下に位置する股下部とからなる外包体と、該外包体内に積層配置される複数の吸収性パッドとを備えた吸収性物品であって、
前記外包体は前記吸収性パッド取り出し用の開口を備えると共に、吸収性パッドは積層された上側吸収性パッドを取り出すための通路を形成し、吸収性パッドが前記通路及び開口を通して取り出し可能であることを特徴とする吸収性物品。
【請求項２】
請求項１に記載された吸収性物品において、
前記通路は、吸収性パッドに形成された開口で形成し、上側吸収性パッドは、下側吸収性パッドの開口を通して取り出し可能であることを特徴とする吸収性物品。
【請求項３】
請求項１に記載された吸収性物品において、
前記通路は、並置した吸収性パッドの対向縁で形成し、上側吸収性パッドは下側吸収性パッドの前記対向縁間を通して取り出し可能であることを特徴とする吸収性物品。
【請求項４】
請求項１に記載された吸収性物品において、
前記通路は、吸収性パッドの間隔をあけて並置した吸収体の対向縁で形成し、上側吸収性パッドは下側吸収性パッドの前記対向縁間を通して取り出し可能であることを特徴とする吸収性物品。
【請求項５】
請求項１に記載された吸収性物品において、
前記通路は、吸収性パッドの並置した吸収体の通過方向に折り曲げた端部同士を付き合わせた前記付き合わせ端部で形成し、上側吸収性パッドは下側吸収性パッドの前記付き合わせ端部間を通して取り出し可能であることを特徴とする吸収性物品。
【請求項６】
請求項１に記載された吸収性物品において、
前記通路は、吸収性パッドの隣接端を重ねて併置した吸収体の前記隣接端で形成し、上側吸収性パッドは下側吸収性パッドの前記隣接端間を通して取り出し可能であることを特徴とする吸収性物品。
【請求項７】
請求項１ないし６のいずれかに記載された吸収性物品において、
前記吸収性パッドは、該吸収性パッドに止着した引き出し手段を備えたことを特徴とする吸収性物品。
【請求項８】
請求項７に記載された吸収性物品において、
前記引き出し手段は、前記外包体の開口から露出した部分を有することを特徴とする吸収性物品。
【請求項９】
請求項７又は８に記載された引き出し手段は紐又は帯状片であることを特徴とする吸収性物品。
【請求項１０】
請求項９に記載された紐又は帯状片は、当該紐又は帯状片が止着された吸収性パッドの識別手段を有することを特徴とする吸収性物品。
【発明の詳細な説明】
【技術分野】
【０００１】
本発明は、排尿の処理等に伴う労力的、精神的及び経済的な負担を軽減できる吸収性物品、とくに尿取りパッド（失禁パッド）、生理用パッド等の吸収性パッドを備えた吸収性物品に関するものである。
【背景技術】
【０００２】
おむつの交換作業、とくに身体の自由が利かず介護を必要とする老人や病人などのおむつの取り替えは、例えば、図１５に示すように、体を横向きにして汚れたおむつを着用者の下から引き出し、次に新しいおむつを引き込んで装着するようにしているため、とくに重労働であり、それを毎日何回も繰り返すことは精神的にもきつい作業である。
また、おむつの交換は排尿に伴ってその一部がよごれた場合でもおむつ全体を交換するため、その経済的負担が大きいばかりではなく廃棄物の量が増大するという問題もある。
【０００３】
そこで、おむつに補助吸収体又は吸収性パッドを併用して、排尿のあったときは、これを補助吸収体で吸収してこの補助吸収体のみを取り替え可能とし、おむつの交換は、排便時などおむつ自体が汚れた時のみ行なうようにしたものが開発されている。
しかしながら、補助吸収体をおむつの内表面側に配置しただけでは、その交換のために、一旦おむつを外して汚れた補助吸収体を取り出すことが必要で、おむつ全体を交換するものに比べて経済的には有利ではあるが、その交換に要する労力的或いは精神的負担はとくに軽減されるわけではなく、問題を完全に解決し得るものではなかった。
【０００４】
そこで、この問題を解決すべく、おむつを外さずに補助吸収体のみを取り替えできるように、使い捨てパンツの前部中央に開口を設け、その開口を開閉可能なシート状の蓋部材で覆う構成とし、補助吸収体の取替えは、その蓋部材を開いておむつ本体の開口から汚れた補助吸収体取り出し、未使用のものをおむつ内に配置できるようにしたものが開発されている（特許文献１参照）。
【０００５】
また、おむつの前部又は後部パネルにアパーチャ（開口）を形成し、このアパーチャに複数のパネル部材（補助吸収体）を収容した後部シートにポケットを固定し、中央部に吸収した体液を吸収するための複数のパネル部材を収容し、各パネル部材は引っ張りタブを引っ張ることにより、体液で飽和したパネル部材を一枚づつ前記ポケットから引き出し、代わりに未使用のパネル部材を露出させるようにしたものも知られている（特許文献２参照）。
【０００６】
更に、補助吸収体の取り替えを一層容易にするため、取り替え用の補助吸収体をおむつ内に設けずに外付けとしたものも提案されている（特許文献３）。これは、前身頃、後見頃及び両者間に位置する股下部からなり、前見頃と後見頃とが両側部で相互に接合される構造の使い捨てパンツにおいて、前記股下部に股下開口を設け、この股下開口を外側から塞ぐように、パンツ本体に対して着脱自在に取り付けられる吸収性パッドを備えている。この構成において、パンツ本体の股下開口の内側面に備わっている左右側部の第１係合部材を吸収性パッドの外面側に係合固定する。
【０００７】
同様に補助吸収体を外付けするものとして、吸収性パッドをパンツ本体に対して着脱自在に取り付けたパンツ型の補助具と外装吸収部とから構成し、前記パンツ型の補助具には部分的に通液部が形成された吸収体が配置され、外装吸収部は補助具の外表面側に止着し、外層吸収部に対する液の移行を安定的に行い、外装吸収部に排尿があったとき、これをパンツ型補助具から外して取り替えるようにしたものも知られている（特許文献４参照）。
【０００８】
しかしながら、特許文献１に記載された使い捨てパンツでは、そもそも股間は狭いので補助吸収体を取り替えるのは容易ではなく、また、補助吸収体を股間から尿が染み出さないように取り付けることも困難である。
また、特許文献２に記載されたおむつ（吸収性物品）では、尿を吸収したパネル部材を前記ポケットから一つずつ引き出すだけで未使用のパネル部材と交換することができ、特許文献１に記載されたもののようにその都度補助吸収体をおむつ内にセットする必要はない。しかし、このおむつは、パネル部材（補助吸収体）を収容したポケットを腹側部或いは背側部の後部シートに固定する構造であって、股間部分にはパネル部材（補助吸収体）が存在しておらず、股間部分から尿が染みだすおそれがある。
【０００９】
更に、特許文献３に記載されたおむつは、補助吸収体を外側から取り付けるが、股間は狭くかつ、取り付け時に補助吸収体の一部を開口内に入れるため取り付け難い。また、取り付けても開口周縁は濡れて不衛生となるだけではなく、開口の隙間から尿が染み出すおそれがある。
【００１０】
特許文献４に記載されたおむつ（吸収性物品）は、外装吸収部を補助具の外側から取り付けるため、取り替えは容易であるが、尿は、補助具の吸収体を通して外装吸収部に吸収されるため、外装吸収部を取り替えても吸収体は尿が付着したままの状態となり不衛生である。
【特許文献１】特開平９−９５８０４号公報
【特許文献２】特表２００２−５０９４６１号公報
【特許文献３】特開２００３−３０５０８０号公報
【特許文献４】特願２００２−３５１７７０号公報
【発明の開示】
【発明が解決しようとする課題】
【００１１】
本発明は、従来の補助吸収体又は吸収性パッドと組み合わせたおむつ等の吸収性物品が有する前記問題を解決するためになされたものであって、その目的は、おむつや下着など着用者の下腹部周辺を直接包み込むもの（ここでは外包体という）と吸収性物品において、吸収性パッドの取り替えを、吸収性パッドのセット位置が股間部であっても容易に行えるとともに取り出し易い構成とし、かつ従来のように尿がおむつ等から染みだすことがなく、かつ衛生的な吸収性物品を提供することである。
【課題を解決するための手段】
【００１２】
請求項１の発明は、着用者の腹側に位置する腹側部と、背側に位置する背側部と、腹側部と背側部との間に位置し着用者の股下に位置する股下部とからなる外包体と、該外包体内に積層配置される複数の吸収性パッドとを備えた吸収性物品であって、前記外包体は前記吸収性パッド取り出し用の開口を備えると共に、吸収性パッドは積層された上側吸収性パッドを取り出すための通路を形成し、吸収性パッドが前記通路及び開口を通して取り出し可能であることを特徴とする。
請求項２の発明は、請求項１に記載された吸収性物品において、前記通路は、吸収性パッドに形成された開口で形成し、上側吸収性パッドは、下側吸収性パッドの開口を通して取り出し可能であることを特徴とする。
請求項３の発明は、請求項１に記載された吸収性物品において、前記通路は、並置した吸収性パッドの対向縁で形成し、上側吸収性パッドは下側吸収性パッドの前記対向縁間を通して取り出し可能であることを特徴とする。
請求項４の発明は、請求項１に記載された吸収性物品において、前記通路は、吸収性パッドの間隔をあけて並置した吸収体の対向縁で形成し、上側吸収性パッドは下側吸収性パッドの前記対向縁間を通して取り出し可能であることを特徴とする。
請求項５の発明は、請求項１に記載された吸収性物品において、前記通路は、吸収性パッドの並置した吸収体の通過方向に折り曲げた端部同士を付き合わせた前記付き合わせ端部で形成し、上側吸収性パッドは下側吸収性パッドの前記付き合わせ端部間を通して取り出し可能であることを特徴とする。
請求項６の発明は、請求項１に記載された吸収性物品において、前記通路は、吸収性パッドの隣接端を重ねて併置した吸収体の前記隣接端で形成し、上側吸収性パッドは下側吸収性パッドの前記隣接端間を通して取り出し可能であることを特徴とする。
請求項７の発明は、請求項１ないし６のいずれかに記載された吸収性物品において、前記吸収性パッドは、該吸収性パッドに止着した引き出し手段を備えたことを特徴とする。
請求項８の発明は、請求項７に記載された吸収性物品において、前記引き出し手段は、前記外包体の開口から露出した部分を有することを特徴とする。
請求項９の発明は、請求項７又は８に記載された引き出し手段は紐又は帯状片であることを特徴とする。
請求項１０の発明は、請求項９に記載された紐又は帯状片は、当該紐又は帯状片が止着された吸収性パッドの識別手段を有することを特徴とする。
【発明の効果】
【００１３】
本発明によれば、外包体に積層配置した複数枚の吸収性パッドを汚れたものから順に取り出すだけで新たなものに交換できる。しかも、吸収性パッドは予め外包体中にセットされているため、着用したときに股下のような狭くセットし難いところであっても、セット不良が生じることがなく、従って漏れ等が発生することもない。
また、汚れた吸収性パッドは股下部の開口から取り出せるから、着用者を仰向けにした状態で吸収性パッドの取り替え作業を行うことができ、かつ引き出し手段を設けることで、取り出しを一層容易に行うことができる。
更に、従来のように着用者を作業中に横向きにするなどの身体の移動を最小にでき、作業者及び着用者の双方にとって負担を軽減することができ、かつ尿は外包体に直接触れずにそのまま吸収性パッドに吸収されるため衛生的である。
【発明を実施するための最良の形態】
【００１４】
以下、本発明の吸収性物品を、その一実施形態である使い捨ておむつについて図面を参照して説明する。
図１は、本発明の使い捨ておむつ１０の展開図であり、図１Ａは、外包体の一実施形態である使い捨ておむつ本体の平面図、図１Ｂは吸収性パッドの一実施形態である尿取りパッドの斜視図である。
本実施形態に係る使い捨ておむつは、使い捨ておむつ本体２０と、前記おむつ本体２０内に積層状に配置される複数の尿取りパッド３０とからなっている。
使い捨ておむつ本体２０は、図１Ａに示すように、着用時に着用者の腹側に位置する腹側部Ａと、着用者の背側に位置する背側部Ｂと、腹側部Ａと背側部Ｂとの間に位置し、着用持に着用者の股下部に位置する股下部Ｃとからなり、腹側部Ａと背側部Ｂそれぞれの両側部同士が接合手段により相互に接合されて、ウエスト開口部及び一対のレッグ開口部が形成される。股下部Ｃは、その両側縁部が、前記レッグ開口部の開口縁部となっていると共に、使い捨ておむつ本体２０から尿取りバッド３０を取り出すための開口２２がその長手方向略中央部に形成されている。      
【００１５】
前記腹側部Ａ、背側部B及び股下部Ｃは、それぞれ液透過性の表面シート２５ａ、液不透過性の裏面シート２５ｂ及び両シート間に介在された液保持性の吸収体２４を備えている。ここで、表面シート２５ａ及び裏面シート２５ｂは、吸収体の周縁部において互いに接合されており、吸収体２４は、表裏面シート間に挟持固定されている。その他胴回り脚周りに適宜ギャザーが形成されている。
【００１６】
また、吸収性パッドである尿取りパッド３０は平面視略矩形をなし、図１Ｂに示すように、その中央部に長手方向に沿って開口（スリット）３２が形成されている。この尿取りパッド３０も、以下で述べるように前記おむつ本体と同様に表面シート及び裏面シートと両シート間に挟持された吸収体からなっている。
【００１７】
図２は、この尿取りバッド（吸収性パッド）を模式的に示す図であり、図２Ａは尿取りパッド３０の平面図、図２Ｂは図２ＡのＸ−Ｘ線に沿った断面図である。本実施形態に係る尿取りパッド３０は、図２Ａに示すように、吸収材３４ａを型くずれしないようにティッシュペーパ（薄葉衛生用紙）などの台紙３６で包んで形成した吸収体３４を、液透過性の表面シート３５ａと液不透過性又は撥水性の裏面シート３５ｂで覆い、前記表面シート３５ａと裏面シート３５ｂとの端部を周知の接着手段で接着して周囲をシールし、更に、その長手方向中央部に切り込みを入れて形成した開口３２を備えている。なお、この尿採りパッド３０の開口３２は、押し開かない限り閉じており、これらの開口３２を通して尿が外に漏れ難くさせることが好ましい。
【００１８】
尿取りパッド３０を構成する吸収体３４、表面シート３５ａ、及び裏面シート３５ｂは、従来の使い捨ておむつや生理用ナプキン等の吸収性物品において用いられている液透過性の表面シート、液不透過性又は撥水性の裏面シート及び吸収体をそのまま用いることができる。
【００１９】
図３Ａは、このような構造の尿取りパッド３０を示した斜視図であり、かつ図３Ｂは図３Ａに示す尿取りパッド３０のＹ−Ｙ線に沿った断面図である。尿取りパッド３０には、図３Ａに示すように、引き出し紐４０が設けられている。この引き出し紐４０は、図３Ｂに示すように、その一端が尿取りパッド３０の表面シート３５ａと裏面シート３５ｂとの接合部に各シートと共に止着され、かつそこから前記表面シート３５ａと裏面シート３５ｂ間を前記開口３２に沿って延び、同尿取りパッド３０の他端の前記シートの接合部から外側に折り返して、裏面シート３５ｂに沿って両端部の中心位置まで延在させ、その位置で接着剤、粘着剤４２等の任意の接合手段で接着し、その位置から下方に垂下させている。
前記引き出し紐４０の他端は、図３Ａに示すように、使い捨ておむつ本体２０内に積層配置した尿取りパッド３０の下側の尿取りパッド３０の開口３２を通り、さらに使い捨ておむつ本体の開口２２から使い捨ておむつ本体の外部に引き出されている。
【００２０】
前記尿取りパッド３０の取り替えは、使い捨ておむつ本体２０の外側に露出した尿取りパッド３０の引き出し紐４０の端部を、最上層の尿取りパッドの引き出し紐４０から順に引くことで、着用者の肌に接して尿を吸収した尿取りパッド３０を、下側の尿取りパッド３０の開口３２及び使い捨ておむつ本体２０の開口２２を押し開いて外に順に引き出すことができる。
【００２１】
尿取りパッド３０は、引き出し紐４０の露出した部分を引っ張ることで、引き出し紐に接着された部分で下方に引っ張られて下側の尿取りパッド３０の前記開口３２中に引き込まれて当該開口３２を通過し、最後に使い捨ておむつ本体２０の前記開口２２を通って外部に引き出される。
【００２２】
図４は尿取りパッドの引き出し紐４０の他の実施形態を示す斜視図である。
図４Ａに示す引き出し紐４０は、その一端部が尿取りパッド３０の表面シート３５ａ上に接着剤による接着やヒートシール、超音波シール等の熱融着等の手段で止着され、かつ他端部は略中央に設けた開口３２を通って下方に延びる構成を採っている。
図４Ｂは、尿取りパッド３０の中央に設けた開口３２の端部近傍で表面シート３５ａに接着剤による接着やヒートシール等の熱融着等で止着した別の形態の引き出し紐４０を示す。この場合は、前記紐４０の一端部を前記開口３２に略平行に止着し、前記紐４０の他端部を前記開口３２を通って下方に延びる構成を採っている。
【００２３】
図４Ｃは、さらに別の実施形態に係る引き出し紐４０を示す。この引き出し紐４０は、その両端部が尿取りパッド３０の開口端部近傍に図４Ａ、図４Ｂに示すものと同様の手段で止着され、前記開口３２中を通して下方に延びている。
この引き出し紐４０は、使い捨ておむつ本体２０の開口２２から露出した部分は輪状となるため、この部分に指を掛けて汚れた尿取りパッド４０を引き出すことができる。なお、図中矢印は、尿取りパッド製造工程における搬送方向を示す。つまり、同工程では前記引き出し紐４０の止着方向を考慮して、矢印の方向に搬送する。
【００２４】
次に、尿取りパッド３０の変形例について説明する。
図５Ａは、第２の実施形態に係る尿取りパッド３０の平面図であり、図５ＢはそのＸ−Ｘ線に沿った断面図である。
この尿取りパッド３０は、第１の実施形態が備える開口３２を備えず、代わりに比較的小さな二つの尿取りパッド３０ａ、３０ｂを並べて配置し、両尿取りパッド３０ａと３０ｂの隣接端部間はその長手方向端部のみを接着剤等で容易に分離可能に接合し、両パッド間を開放可能にしておく。
これにより、上側の尿取りパッド３０ａ、３０ｂが汚れたときは、図に示す紐４０ａ、４０ｂを引くことにより、下側の尿取りパッド３０の対向端部間を押し開いて通過させ、使い捨ておむつ本体２０の開口２２から取り出すことができる。また、一方のみが汚れた場合には、一方の紐例えば紐４０を引くことにより、一方の尿取りパッド３０のみを使い捨ておむつ本体２０から取り出すことができる。こうすることにより、尿取りパッドをよりきめ細かく取り替えることができ、尿取りパッドの無駄を省き、一層経済的にできかつ、廃棄物の容量も小さくできる。      
【００２５】
図６は、更に別の実施形態の尿取りパッドを示す。図６Ａはその断面図、図６Ｂはその製造過程を説明する断面図である。
この尿取りパッド３０は、図６Ａに示すように、二つの吸収体３４を並置して、その上に隣接端部間の長手方向端部のみを接着剤等４２で容易に分離可能に接合した表面シート３５ａを重ねて、またその下に表面シート３５ａと同様に接合した裏面シート３５ｂを重ねて接合し、かつ前記表面シート３５ａ、裏面シート３５ｂの周縁を接合して前記吸収体３４を封止した構成からなっている。
この尿取りパッド３０は、図６Ｂに示すように、一方の吸収体３４の上面を表面シート３５ａに接合し、かつ他方の吸収体３４は、予め引き出し紐４０を止着した裏面シート３５ｂにその裏面を接合しておき、これら吸収体３４の端部を隣接配置し、しかる後前記表面シート３５ａと裏面シート３５ｂの周縁を接合封止３８することで形成される。
この尿取りパッド３０を取り出すときは、上側の尿取りパッド３０を下側の並べて配置された吸収体３４間の対向縁間を拡開して引き出す。
【００２６】
図７は、更に別の尿取りパッドの実施形態を示す断面図である。
この実施形態では、吸収体３４の一端を重ねて配置し、その周りを表面シート３５ａと裏面シート３５ｂとで覆い、表面シート３５ａと裏面シート３５ｂの周縁部を接合した構成である。この構造では、重なった表面シート３５ａ及び裏面シート３５ｂ、及び吸収体３４の略中央部分は接着していないので図面で下方に力を加えて押し拡げることにより開き、その間から上側に配置された尿取りパッド３０を引き出すことができる。
【００２７】
図８は、更に別の尿取りパッド３０の実施形態を示す断面図であり、この実施形態においては、尿取りパッド３０の並んで配置された吸収体３４の対向端部を尿取りパッド３０の通過方向に折り曲げて突き合わされており、上側に配置された尿取りパッド３０は、その突き合わせ端部間を押し開いて下方に引き出される。
この吸収体３４の突き合わせ構造は、図７に示す吸収体を重ねた構造の尿取りパッド３０において、上方から上側の吸収体端部を下方に押し、下側の吸収体の端部を越えて押し込むことで形成することができる。
上側の尿取りパッド３０を取り出すときは、その尿取りパッド３０を引っ張ることで前記突き合わせた端部間を押し開き通過させる。この尿取りパッド３０を用いると、下側の尿取りパッド３０の並置した吸収体３４の端部が予め通過方向に折り曲げてあるから、尿取りパッド３０を引き出す際の通路が形成し易く、従ってより容易に引き出すことができる。
【００２８】
図９は、使い捨ておむつ本体２０の上に尿取りパッド３０を重ねて配置した構造の一例を模式的に示す断面図である。
ここでは、使い捨ておむつ本体２０は、図１Ａに示したもの、つまり、表面シート２５ａと裏面シート２５ｂ及びこれらの間に配置された吸収体２４に開口２２を設けたものであり、かつ、尿取りパッド３０は、図７に関連して説明した構成のものを２枚重ねて前記使い捨ておむつ本体２０中に配置している。
なお、図９において、尿取りパッド３０は以上で述べた他の構成のものでもよく、使い捨ておむつ本体２０も既に説明した実施形態に限らず、例えばパンツ型のものであってもよい。
【００２９】
以上述べたように、使い捨ておむつ本体内に重ねて配置した尿取りパッド３０が汚れたときは、前記紐４０を引っ張ることで下層に配置された尿取りパッド３０の前記開口３２又は並置した尿取りパッド３０間、又は並置した吸収体３４間を押し拡げて通過させ、かつ使い捨ておむつ本体２０の股下部Ｃの開口２２から外部に引き出すことができる。
【００３０】
引き出し紐４０は、尿取りパッド３０の取り替えにあたり、汚れた尿取りパッド３０を特定できるように、各尿取りパッド３０毎に例えば色分けする、或いは使い捨ておむつ本体２０から露出した紐部分に番号を付す、紐の種類を変えるなどしておく。また、紐４０を設けずに、使い捨ておむつ本体２０の開口２２及び重ねて配置した各尿取りパッド３０の開口３２、並置した尿取りパッド３０間、或いは並置した吸収体３４間に指を差し込み、汚れたパッド３０を引き出すこともできる。その際、尿取りパッド３０が引き出し易いようにその裏面に引っ張り用のタブを設けてもよい。更に、紐の代わりに帯状体を用いてもよい。
【００３１】
次に、以上で説明した前記使い捨ておむつ本体２０を製造する一方法について説明する。
この使い捨ておむつ本体２０の製造方法として、図１０は、連続液不透過性ウエブとして、例えばポリエチレンウエブ４５を切断して表面シート及び裏面シートとなる各ストリップを形成する工程を示す。この工程では、アンビルロール５０と対向して突出したカッティングエッジ４８を備えたカッターロール４６で連続ポリエチレンウエブ４５をストリップ４５ａ、４５ｂに切断する。その際、カッティングエッジ４８の形状は、ロール４６上の切断模様で形成する。
【００３２】
図１１は、切断工程で切断されたストリップ４５ａ、４５ｂを組み立て直して接合する工程を示している。ここでは、切断したストリップの一方のストリップ４５ａをロール５２，５４，５６及び５８の配置により他方のストリップ４５ｂに対してコンベアー面の上方に移動させる。また、それと同時に、図１２に示すように、ストリップ４５ａを横方向に移動し、平面視でストリップ４５ｂを横切り、ストリップ４５ａをコンベアー面に下降させて他方のストリップ４５ｂと接触させた時に、両ストリップ４５ａ、４５ｂの切断端と反対側のそれぞれの直線の端が重なった関係となるように制御する。
【００３３】
再び図１１において、接着剤噴射ノズル６０は、ストリップ４５ａとストリップ４５ｂが重なる端部分に接着剤を塗布する。接着剤は前記開口２２を除く部分に塗布することが好ましい。ロール５８の下に裏打ちロール６１があり、ニップを形成し、ストリップ４５ａ及び４５ｂの重なる部分で接着剤を押して密接に接触させ、強力な接着を行う。或いは、接着剤に代えてストリップ４５ａ、４５ｂを加熱ロールや超音波シーラーにより接合することもできる。
【００３４】
図１３は、組み立て工程を示す。コンベアー７２は、吸収体２４を搬送しかつ裏面シートF１上に吸収体２４を間隔を空けて置く。
裏面シートＦ１と同一の形状の液体透過性材料でできたウエブ状の表面材（表面シート）Ｆ２を、液不透過性材料でできたウエブ状の裏面シートＦ１と位置を合わせて吸収体２４上に重ねる。そして、隣接する吸収体間において、各シート（表面シートと裏面シート間に吸収体が存在しない位置）は、接着剤又は加熱や超音波により接合することもできる。
【００３５】
図面１４に示す切断工程は、組み立て工程の下流に位置し、裏面シートＦ１及び表面シートＦ２を吸収体２４のまわりで封止し、連続した積層封止ウェブＦ３を形成する（図示せず）。
表面シートＦ１及び裏面シートＦ２間の接着は、組み立て工程及び封止工程（図示せず）の間で接着剤により、又は熱接着により行うことができる。
【００３６】
このように封止ウェブＦ３は、続いて、吸収体２４が存在するところで略中央部に長手方向に沿ってカッティングロール等の適当な手段で開口を形成し、かつ封止ウェブＦ３を隣接する吸収体２４の間で切断して使い捨ておむつ本体２０を得ることができる。
【００３７】
なお、以上の工程において、吸収体２４として左右に分離したものを用いることもでき、この場合は、当然のことながら、吸収体２４にスリットを入れ開口を形成する必要はない。
また、吸収体２４としては、フラップパルプと吸収ポリマーからなる吸収材を不織布などの台紙で包む構成にすることにより、内部の尿取りパッドを交換する際に吸収体が崩壊することを抑制することができる。更に、吸収体を用いず、裏面シート及び表面シートを接合してもよい。この場合、使い捨ておむつ本体自体は吸収性を持たないが、吸収物品としては、尿取りパッドで十分な吸収性を維持することができる。
【００３８】
以上で説明した使い捨ておむつ本体の製造方法は、いわゆるトリムレスの場合であるが、それ以外の方法として、左右２つのシートを中央部で合わせその後、レッグ部を取り除くようにした製法でもよいことはもちろんである。
【図面の簡単な説明】
【００３９】
【図１】本発明の吸収性物品の１実施形態を示す展開図である。
【図２】図２Ａは尿取りパッドの平面図、図２Ｂはその断面図である。
【図３】図３Ａは尿取りパッドの斜視図、図３Ｂはその断面図である。
【図４】引き出し紐の異なる実施形態を示す図である。
【図５】図５Ａは別の実施形態に係る尿取りパッドの平面図、図５Ｂはその断面図である。
【図６】図６Ａはさらに別の実施形態に係る尿取りパッドの断面図、図６Ｂは製造過程を説明するための断面図である。
【図７】さらに別の実施形態に係る尿取りパッドの断面図である。
【図８】さらに別の実施形態に係る尿取りパッドの断面図である。
【図９】使い捨ておむつ本体上に積層配置した尿取りパッドを模式的に示した断面図である。
【図１０】使い捨ておむつ本体製造工程におけるウエブ切断工程を説明するための図である。
【図１１】同、切断したウェブの整合工程を説明するための図である。
【図１２】同、切断したウェブの整合工程を説明するための図である。
【図１３】同、組立工程を説明するための図である。
【図１４】同、封止工程を説明するための図である。
【図１５】従来のおむつの取り替えを説明する図である。
【符号の説明】
【００４０】
１０・・・吸収性物品、２０・・・使い捨ておむつ本体、２２・・・開口、２４・・・吸収体、３０・・・尿取りパッド、３２・・・開口、３４・・・吸収体、３５ａ・・・表面シート、３５ｂ・・・裏面シート、３６・・・台紙、４０・・・引き出し紐、Ｆ１・・・裏面シート、Ｆ２・・・表面シート、Ｆ３・・・封止ウェブ。
【図１】
2006130053.tif 000003
【図２】
2006130053.tif 000004
【図３】
2006130053.tif 000005
【図４】
2006130053.tif 000006
【図５】
2006130053.tif 000007
【図６】
2006130053.tif 000008
【図７】
2006130053.tif 000009
【図８】
2006130053.tif 000010
【図９】
2006130053.tif 000011
【図１０】
2006130053.tif 000012
【図１１】
2006130053.tif 000013
【図１２】
2006130053.tif 000014
【図１３】
2006130053.tif 000015
【図１４】
2006130053.tif 000016
【図１５】
2006130053.tif 000017